(57)【要約】【課題】映像中の所望の領域を良好にした映像を出力すること。【解決手段】被写体を撮像して得られた映像を入力するための撮像回路７と、入力された映像を出力する入出力Ｉ／Ｆ１６と、入出力Ｉ／Ｆ１６にて出力された映像を表示するテレビ装置３と、それぞれが互いに異なる入力信号レベルの範囲で大きな分解能を有する複数種類のガンマ補正曲線を予め記憶するメモリ回路１５と、テレビ装置３により表示された映像の中で、特に注視したい被写体部分の状況により、逆光補正を行うための入力を受付ける逆光補正入力スイッチ１７と、複数種類のガンマ補正曲線のいずれか１つを用いて入力された映像を補正する撮像プロセス回路１４と、逆光補正入力スイッチによる入力に従って、複数種類のガンマ補正曲線のうちからいずれか１つを選択するように撮像プロセス回路１４を制御するカメラ装置制御回路１３とを備える。【選択図】        図２
2005005864.tif 000002
【特許請求の範囲】
【請求項１】
被写体を撮像して映像入力を得るための映像入力手段と、
前記映像入力を出力する出力手段と、
前記出力手段にて出力された映像を表示する表示手段と、
それぞれが互いに異なる入力信号レベルの範囲で大きな分解能を有する複数種類のガンマ補正曲線を予め記憶する記憶手段と、
前記表示手段により表示された映像の中で、特に注視したい被写体部分の状況により、逆光補正を行うための入力を受付ける逆光補正入力手段と、
前記複数種類のガンマ補正曲線のいずれか１つを用いて前記入力された映像を補正するガンマ補正手段と、
前記逆光補正入力手段による入力に従って、前記複数種類のガンマ補正曲線のうちからいずれか１つを選択するように前記ガンマ補正手段を制御する制御手段とを備えた、映像処理装置。
【請求項２】
前記制御手段は、前記複数種類のガンマ補正曲線を順に選択するように制御する、請求項１に記載の映像処理装置。
【請求項３】
前記制御手段は、前記逆光補正入力手段による入力が継続している間は、前記複数種類のガンマ補正曲線を順に選択するよう制御し、
前記逆光補正入力手段による入力が中断したときは、中断時に選択しているガンマ補正曲線を所定時間選択するように制御する、請求項１に記載の映像処理装置。
【請求項４】
前記ガンマ補正手段は、選択しているガンマ補正曲線の補正処理対応する入力信号レベルの範囲を変化させて分解能の範囲を拡大する分解能拡大手段を含む、請求項１に記載の映像処理装置。
【請求項５】
被写体を撮像して映像を出力する撮像手段と、
前記撮像手段により出力される映像を出力する出力手段と、
前記出力された映像の信号レベルを予め定められた低減率で低減する低減手段と、
前記撮像手段の露光時間を自動的に制御する撮像制御手段と、
前記撮像手段の露光時間を変更する指示を入力するための露光時間入力手段と、
前記露光時間入力手段による指示の入力に基づいて、前記撮像手段の露光時間を所定の値に固定するよう前記撮像制御手段を制御し、所定の条件に従って前記低減手段を能動化する制御手段とを備えた、撮像装置。
【請求項６】
前記制御手段は、前記露光時間入力手段による指示の入力が所定時間継続したことを条件に前記低減手段を能動化する、請求項５に記載の撮像装置。
【発明の詳細な説明】
【０００１】
【発明の属する技術分野】
この発明は映像処理装置および撮像装置に関し、特に、監視カメラ、ドアホンカメラ等に用いられる撮像装置および、そのような撮像装置から出力される映像を処理するための映像処理装置に関する。
【０００２】
【従来の技術】
従来、監視カメラやドアホンカメラ等の撮像装置で所定の領域を撮像した映像を表示装置に出力するカメラシステムが知られている。このカメラシステムにおいては、撮像装置が設置される場所はさまざまである。たとえば、ドアホンカメラにおいては屋外に設置されることが多く、撮像領域の光の状態が撮像する時刻によって異なってくる。たとえば、撮像装置が西方向を撮像するように設置された場合、夕方の西日が強い時刻には被写体が逆光の状態で撮像された映像が出力されることになる。
【０００３】
従来のカメラシステムでは、このような逆光状態で撮像して出力される映像は、逆光により撮像手段に入射される光の量が多いために映像信号の増幅利得を落とし、且つ、露光時間が短くなるなるように制御して画面全体の平均輝度を一定に保とうとする。その結果、明るい背景の中に暗い被写体が映ることとなり、被写体を良好に認識することができなくなる。
【０００４】
このため、従来のカメラシステムにおいては、このような逆光状態で撮像された映像を補正する方法として、撮像して得られた映像信号の増幅利得および露光時間を制御して出力信号レベルを高くする方法を用いている。
【０００５】
この逆光補正方法により得られた映像は、映像全体の信号レベルが一定の比率で高くなるようにしており、輝度が低い領域の信号レベルを高くすることができる。
【０００６】
しかしながらこの方法は、撮像して得られた映像を低輝度から高輝度までの全範囲にわたって一律に高くするだけのものであり、得られた映像の中の注視したい被写体の持つ輝度値の範囲が撮像状況毎に異なるので、必要な輝度の範囲のみを常に的確に広げることができるとは限らないため被写体を詳細に認識するための映像を得るのが困難である。
【０００７】
これに対応するために、被写体を認識しやすい映像を得るために、入力信号の信号レベルが低い値から中間の値までのある特定の範囲の信号レベルを上げる技術が、特公平５−７４２７１号公報（特許文献１）に記載されている。特公平５−７４２７１号公報に記載の逆光補正回路は、入力信号の全明るさの範囲について入出力補正を行なうための順光下におけるガンマ補正回路と、逆光下におけるガンマ補正回路を半導体スイッチにより切換える。このため、逆光撮像時に低輝度から高輝度までの全体にわたって中立な階調の映像を得ることができる。
【０００８】
さらに、他の技術として、特開平５−１９９４５５号公報（特許文献２）には、オートアイリスレンズを用いて撮像して得られた映像の中央部分の信号と背景部分の信号とをゲート回路を設けて分離して比較回路により比較し、逆光状況を検出するＣＣＤカメラ装置が記載されている。この特開平５−１９９４５５号公報に記載のＣＣＤカメラ装置は、オートアイリスレンズの絞りを調節する回路によるレンズのアイリスを制御すると同時に、ＣＣＤ素子のバイアス制御回路によりＣＣＤのバイアス電圧を制御し、ＣＣＤの飽和レベルを制御している。さらに、入力信号の背景部分を圧縮した信号と中央部分の信号を合成することで逆光補正処理を行なっている。ここで用いられているオートアイリスレンズは、レンズ内に光量を絞るための絞りばね等の機構部と、それを駆動制御する制御部とで構成されている。
【０００９】
また、監視カメラやドアホンカメラは、室内に設けられる場合もあり得る。この場合には、たとえば５０Ｈｚの周波数の商用電源によって点灯された蛍光灯照明下で使用される場合が多い。このため、テレビ信号の１フィールドが６０Ｈｚであるために、照明の５０Ｈｚとの差により、監視カメラ等の撮像装置で撮像して得られた映像信号に画面のちらつき現象が生じる。このちらつき現象は、通常フリッカー現象と呼ばれている。このフリッカー現象を除去するために、撮像装置の電子シャッタ速度を１００分の１秒に固定する方法が採用されている。
【００１０】
【特許文献１】
特公平５−７４２７１号公報
【００１１】
【特許文献２】
特開平５−１９９４５５号公報
【００１２】
【発明が解決しようとする課題】
しかしながら、特公平５−７４２７１号公報に記載の逆光補正回路では、逆光状態で撮像された映像を低輝度から中輝度までの階調を広げることができるが、被写体の表わされた領域の輝度がその範囲内に含まれるとは限らない。すなわち、階調の幅が広げられるのは、得られた映像の全階調中の、一部の範囲に制限されるため、撮像する環境によっては、輝度値の幅が広げられる範囲と、実際に撮像して得られた画像中の被写体が表わされた領域の輝度値の範囲とが必ずしも合致するとは限らない。そのような場合には、被写体を詳細に認識することができる映像を得ることはできない。また、特公平５−７４２７１号公報に記載の逆光補正回路では、順光状態か逆光状態かを判定するための検知システムを有するため、一般に高価な光学系部品を備える必要がある。このため、逆光補正回路としてはコストの高いものとなってしまう。
【００１３】
また、特開平５−１９９４５５号公報に記載のＣＣＤカメラ装置は、画面中央部にある被写体の平均輝度による逆光状況の検知システムを有するため、注視したい被写体が画面中央部に存在する場合にのみ逆光状態を検出することができる。一般的に監視カメラやドアホンカメラにおいては、被写体が撮像範囲のどこに現われるのかは事前にわからない。このため、画面中央に重きを置いて逆光状態を判定する場合には、注視すべき被写体が周辺部にあるときには逆光状態を判定することができず、被写体を良好に認識することができない。また、周辺部に存在する被写体を認識するために、撮像装置の撮影方向を変更することも考えられるが、撮影方向を固定する場合に比べて撮影方向を変更させる機構が必要となり、高価なものとなってしまう。
【００１４】
また、特開平５−１９９４５５号公報に記載のＣＣＤカメラ装置は、圧縮された画面背景部と画面中央部とを構成するため、それら２つの画像の境界付近において画像が不自然になりやすいといった問題がある。
【００１５】
さらに、フリッカー現象に対応するために、電子シャッタスピードを１００分の１に固定するようにすると、電子シャッタによる絞り効果を得ることができない。このため、注視するべき被写体に蛍光灯などの照明が強く当っているような場合には、撮像素子の受光量が増加する。これにより、被写体が周囲に比べて明るくなるため、映像中の被写体が白飛びを起こして、被写体を良好に認識することができなくなってしまうといった問題がある。
【００１６】
この発明は上述した問題点を解決するためになされたもので、この発明の目的の１つは、映像中の所望の領域を良好にした映像を出力することが可能な映像処理装置および撮像装置を提供することである。
【００１７】
この発明のさらに他の目的は、簡単な構成で安価な映像処理装置および撮像装置を提供することである。
【００１８】
【課題を解決するための手段】
上述した目的を達成するためにこの発明のある局面によれば、映像処理装置は、被写体を撮像して映像入力を得るための映像入力手段と、前記映像入力を出力する出力手段と、前記出力手段にて出力された映像を表示する表示手段と、それぞれが互いに異なる入力信号レベルの範囲で大きな分解能を有する複数種類のガンマ補正曲線を予め記憶する記憶手段と、前記表示手段により表示された映像の中で、特に注視したい被写体部分の状況により、逆光補正を行うための入力を受付ける逆光補正入力手段と、前記複数種類のガンマ補正曲線のいずれか１つを用いて前記入力された映像を補正するガンマ補正手段と、前記逆光補正入力手段による入力に従って、前記複数種類のガンマ補正曲線のうちからいずれか１つを選択するように前記ガンマ補正手段を制御する制御手段とを備える。
【００１９】
この発明に従えば、複数種類のガンマ補正曲線のうちからいずれか１つを用いて入力された映像がガンマ補正される。たとえば、映像中で注視すべき領域の入力信号レベルが周囲に比して低く、その領域を良好に認識できない場合、その領域の入力信号レベルの範囲についてのみ大きな分解能を有するガンマ補正曲線を用いれば、注視したい領域の信号レベルの範囲について大きな分解能の映像が出力される。このため、映像中の所望の領域を良好にした映像を出力することが可能な映像処理装置を提供することができる。
【００２０】
好ましくは、制御手段は、複数種類のガンマ補正曲線を順に選択するように制御する。
【００２１】
この発明に従えば、複数種類のガンマ補正曲線が順に選択されるので、出力される映像を見てガンマ補正曲線を選択することができる。その結果、逆光状態であるのか、順光状態であるのかを検出するために特別な装置を設ける必要がなく、安価な映像処理装置を提供することができる。
【００２２】
好ましくは、制御手段は、逆光補正入力手段による入力が継続している間は、複数種類のガンマ補正曲線を順に選択するよう制御し、逆光補正入力手段による入力が中断したときは、中断時に選択しているガンマ補正曲線を所定時間選択するように制御する。
【００２３】
この発明に従えば、逆光補正を行うための入力が継続している間は、複数種類のガンマ補正曲線が順に選択され、継続する入力が中断したときは、その中断時に選択しているガンマ補正曲線が所定時間選択される。このため、逆光補正を行うための入力を継続する時間によりガンマ補正曲線を選択することができるため、ガンマ補正曲線の選択操作が容易となる。
【００２４】
好ましくは、ガンマ補正手段は、選択しているガンマ補正曲線の補正処理対応する入力信号レベルの範囲を変化させて分解能の範囲を拡大する分解能拡大手段を含む。
【００２５】
この発明に従えば、選択されているガンマ補正曲線の補正処理対応する入力信号レベルの範囲を変化させて分解能の範囲が拡大されるので、注視したい領域の信号レベルの範囲に応じた分解能を持った映像を出力することができる。
【００２６】
この発明の他の局面によれば、撮像装置は、被写体を撮像して映像を出力する撮像手段と、撮像手段により出力される映像を出力する出力手段と、出力された映像の信号レベルを予め定められた低減率で低減する低減手段と、撮像手段の露光時間を制御する撮像制御手段と、撮像手段の露光時間を変更する指示を入力するための露光時間入力手段と、露光時間入力手段による指示の入力に基づいて、撮像手段の露光時間を所定の値に固定するよう撮像制御手段を制御し、所定の条件に従って低減手段を能動化する制御手段とを備える。
【００２７】
この発明に従えば、露光時間入力手段による指示の入力に基づいて、撮像手段の露光時間が所定の値に固定され、所定の条件に従って撮像手段により出力された映像の信号レベルが予め定められた低減率で低減される。たとえば、撮像手段の露光時間が固定されることにより長くなった場合には、映像中で注視すべき被写体の信号レベルが周囲に比して高くなる。このような場合に映像の信号レベルが低減されるため、映像の所望の領域を良好にした映像を出力することが可能な撮像装置を提供することができる。
【００２８】
好ましくは、制御手段は、露光時間入力手段による指示の入力が所定時間継続したことを条件に低減手段を能動化する。
【００２９】
この発明に従えば、露光時間入力手段による指示の入力が所定時間継続したことを条件に低減手段が能動化されるので、撮像手段の露光時間の固定と、撮像手段により出力された映像の信号レベルの低減とが、１つの露光時間入力手段で指示される。このため、１つの露光時間入力手段で指示が入力されるので、操作性を向上させることができる。
【００３０】
【発明の実施の形態】
以下、本発明の実施の形態について図面を参照して説明する。以下の説明では、同一の部品には同一の符号を付してある。それらの名称および機能も同じである。したがってそれらについての詳細な説明は繰返さない。
【００３１】
［第１の実施の形態］
図１は、本発明の第１の実施の形態における撮像表示装置の全体構成を示す概略図である。図１を参照して、撮像表示装置１は、カメラ装置２と、テレビ装置３とを含む。カメラ装置２とテレビ装置３とは、ケーブル４を介して接続されており、カメラ装置２で撮像された映像は、テレビ装置３への入力信号に変換されて、ケーブル４を介してテレビ装置３に出力される。テレビ装置３では、受信した入力信号に基づいて映像モニタ５に映像を出力する。
【００３２】
カメラ装置２は、本体６Ａと台座６Ｂとを含む。本体６Ａは、台座６Ｂに、たとえばユニバーサルジョイントで接合されている。このため、本体６Ａは、それが有するレンズの撮影方向を台座６Ｂに対して水平方向または垂直方向に回転可能に支持される。本実施の形態におけるカメラ装置２は、台座６Ｂに対して本体６Ａが有するレンズの撮影方向を水平方向および垂直方向で撮影方向が一度決定されると、その後は外力が加わらない限り移動することはない。
【００３３】
テレビ装置３は、陰極線管（ＣＲＴ）または液晶表示装置等からなる映像モニタ５と、逆光補正入力スイッチ１７と、フリッカー低減入力制御スイッチ１８とを含む。逆光補正入力スイッチ１７またはフリッカー低減入力制御スイッチ１８の入力に応じて、所定の制御信号がケーブル４を介してカメラ装置２へ出力される。
【００３４】
本実施の形態におけるカメラ装置２は、撮像して得られた映像全体の明るさに応じて、電子シャッタや画像処理回路のゲインを自動的に制御し、映像の明るさが一定のレベルとなるように処理して処理した入力信号を、テレビ装置３に出力する。また、テレビ装置３に備えられた逆光補正入力スイッチ１７またはフリッカー低減入力制御スイッチ１８がユーザにより押下されることにより発生される制御信号に基づき、カメラ装置２は、撮像して得られた映像に所定の処理を施して入力信号を生成する。以下これについて具体的に説明する。
【００３５】
図２は、本実施の形態における撮像表示装置の機能の概略を示す機能ブロック図である。図２を参照して、カメラ装置２は、カメラ装置２の全体を制御するためのカメラ装置制御回路１３と、撮像回路７と、撮像回路７の撮像素子回路９を動作させるための撮像素子駆動回路１１と、タイミング信号を発生させるタイミング／同期回路１２と、撮像回路７から出力される入力信号に所定の処理を行ない映像信号を生成する撮像プロセス回路１４と、複数種類のガンマ補正曲線等を記憶するメモリ回路１５と、カメラ装置２を動作させるための電源を制御する電源回路１９と、カメラ装置２をテレビ装置３と接続するための入出力インターフェイス（Ｉ／Ｆ）１６とを含む。
【００３６】
撮像回路７は、被写体から反射した光を集光するためのレンズ８と、撮像素子回路９と、撮像素子回路９から出力される電気信号のサンプリングおよびゲインの制御を行なうＣＤＳ／ＡＧＣ／ＡＤ回路１０とを含む。撮像素子回路９は、撮像素子を有し、その撮像素子はレンズ８で集光された光を受光し、その受光した光を光電変換して電気信号を出力する。
【００３７】
タイミング／同期回路１２は、撮像素子を駆動するためのタイミングを制御する信号、映像信号の同期をとるための同期信号、撮像プロセス回路１４を制御するための信号、カメラ装置制御回路１３に与えるための信号を発生する。
【００３８】
メモリ回路１５は、リードオンリメモリ（ＲＯＭ）であり、複数種類のガンマ補正曲線と、カメラ装置２を制御するための処理を実行するのに必要な情報を記憶する。
【００３９】
カメラ装置制御回路（ＣＰＵ）１３は、メモリ回路１５よりカメラ装置２を制御するために必要な機能設定情報を読出し、撮像プロセス回路１４の各種機能設定を行なう。この機能設定には、映像の利得制御の他に、映像のコントラストを変化させるための制御信号、映像の輪郭強調の強弱を制御するための制御信号を含む。また、カメラ装置制御回路１３は、撮像素子駆動回路１１を制御することにより、撮像素子回路９の電子シャッタ速度を変化させる制御を実行する。さらに、撮像素子回路９の電子シャッタ速度を特定の値に固定させるための制御信号を撮像素子駆動回路１１に出力する。さらに、撮像プロセス回路１４に対して、メモリ回路１５に記憶されている複数種類のガンマ補正曲線のいずれを選択するかの選択信号を出力する。
【００４０】
なお、タイミング／同期回路１２と、撮像プロセス回路１４と、カメラ装置制御回路１３とは、１つの半導体集積回路によって実現されてもよい。
【００４１】
撮像プロセス回路１４が、カメラ装置制御回路１３から制御信号を受信すると、その受信した制御信号に応じて、撮像回路７より受信した映像信号に対して、ガンマ補正処理を実行する。また、ガンマ補正処理に加えて、映像信号のコントラストを変化させたり、映像の輪郭を強調する輪郭強調処理を実行する。そして、撮像素子駆動回路１１は、カメラ装置制御回路１３からの制御信号を受信し、受信した制御信号に応じて、撮像素子回路９の撮像素子の電子シャッタ速度を自動的に変化させたり、特定の電子シャッタ速度で固定させる。
【００４２】
テレビ装置３は、映像モニタ５と、電源２０と、逆光補正入力スイッチ１７と、フリッカー低減入力制御スイッチ１８とを含む。映像モニタ５は、カメラ装置２から受信された映像を表示する。電源２０は、映像モニタ５およびカメラ装置２に電源を供給する。カメラ装置２には、ケーブル４を介して電源を供給する。
【００４３】
撮像表示装置１が室内等の蛍光灯の照明下における領域を撮像するためにカメラ装置２が設置された場合には、商用電源を用いた蛍光灯の影響により映像モニタ５にはフリッカー現象が発生した映像が出力される場合がある。このため、注視したい被写体の明るさが明滅した映像が出力される。このため、ユーザがこのフリッカー低減入力制御スイッチ１８を押下することにより、撮像素子回路９の電子シャッタ速度が１００分の１に固定される。これによりフリッカー現象はなくなる。
【００４４】
このように構成してなる撮像表示装置１は、注視すべき被写体が周囲に比べて暗い逆光状態にある場合に、被写体を撮像した際には、映像モニタ５には被写体が表わされた領域の輝度が低く、その被写体を良好に認識することが困難な画像が出力される。このような場合に、ユーザが、逆光補正入力スイッチ１７を操作することにより、所望の画像を得ることができる。これについてより詳細に説明する。
【００４５】
図３は、メモリ回路１５に記憶される複数種類のガンマ補正曲線の一例を示す図である。図３（Ａ）は、テレビ装置３に適合するガンマ補正曲線を示す図である。ガンマ補正曲線は、撮像回路７より出力される映像信号を、テレビ装置３の映像モニタ５に出力するのに適した映像信号に変換する際に用いられる。撮像回路７より出力される映像信号を入力信号とし、この入力信号に対して映像モニタ５に適した階調レベルの映像信号に変換するために、入力信号と階調レベルとの関係を示す曲線である。ここでは、曲線で示したが、実際には、ガンマ補正曲線は、入力信号と階調レベルとを１対１に対応させた複数の点の集合データとして記憶するようにしてもよい。また、２次曲線または多次元曲線で定義し、その曲線の関数として記憶するようにしておいてもよい。
【００４６】
図３（Ｂ）は、入力信号がＩ１〜Ｉ２の入力信号レベルの範囲で、それぞれの入力信号レベルに対応する階調レベルを広くしたガンマ補正曲線を示す。すなわち、Ｉ１以上Ｉ２以下の入力信号レベルの範囲において、図３（Ａ）に示したガンマ補正曲線においては階調レベルの範囲（分解能）はＬ１以上Ｌ２以下であったものを、図３（Ｂ）に示すガンマ補正曲線では、階調レベルの範囲はＬ１よりも低い階調レベルＬ１１以上で、かつ、階調レベルＬ２よりも高い階調レベルＬ１２以下である。このため、図３（Ａ）に示したガンマ補正曲線と図３（Ｂ）に示したガンマ補正曲線とを比較すると明らかなように、入力信号レベルの範囲がＩ１以上Ｉ２以下の範囲で対応する階調レベルが拡大している。これは、図３（Ｂ）に示すガンマ補正曲線は、図３（Ａ）に示すガンマ補正曲線と比べて、階調レベルＩ１以上Ｉ２以下の範囲において、大きな分解能を有するガンマ補正曲線といえる。
【００４７】
図３（Ｃ）に示すガンマ補正曲線は、入力信号レベルＩ３〜Ｉ４において、図３（Ａ）に示したガンマ補正曲線に比較して分解能が大きなガンマ補正曲線を示す。すなわち、Ｉ３以上Ｉ４以下の入力信号レベルの範囲において、図３（Ａ）に示したガンマ補正曲線においては階調レベルの範囲（分解能）はＬ３以上Ｌ４以下であったものを、図３（Ｃ）に示すガンマ補正曲線では、階調レベルの範囲はＬ３よりも低い階調レベルＬ１３以上で、かつ、階調レベルＬ４よりも高い階調レベルＬ１４以下である。このため、図３（Ａ）に示したガンマ補正曲線と図３（Ｃ）に示したガンマ補正曲線とを比較すると明らかなように、入力信号レベルの範囲がＩ３以上Ｉ４以下の範囲で対応する階調レベルが拡大している。これは、図３（Ｃ）に示すガンマ補正曲線は、図３（Ａ）または図３（Ｂ）に示すガンマ補正曲線と比べて、階調レベルＩ３以上Ｉ４以下の範囲において、大きな分解能を有するガンマ補正曲線といえる。
【００４８】
なお、ここでは、３つのガンマ補正曲線を示したが、メモリ回路１５には、４つ以上のガンマ補正曲線を記憶しておくようにしてもよい。この場合に、記憶されるガンマ補正曲線は、それぞれが互いに異なる入力信号レベルの範囲で大きな分解能を有するガンマ補正曲線である。
【００４９】
図４は、本実施の形態における撮像表示装置で実行される逆光補正処理の流れを示すフローチャートである。図４を参照して、撮像表示装置１のメインスイッチがＯＮとなると、撮像表示装置が作動する（Ｓ０１）。このメインスイッチは、テレビ装置３に備えられ、テレビ装置３のメインスイッチがＯＮになることにより、テレビ装置３に備えられた電源２０から、テレビ装置３の映像モニタ５に電力が供給される。また、カメラ装置２には、ケーブル４を介して電源２０から電源が供給される。テレビ装置３とカメラ装置２とに電源が供給されることにより、撮像表示装置１が作動する。
【００５０】
次に、機能初期化が行なわれる（Ｓ０２）。機能初期化とは、カメラ装置２およびテレビ装置３において、予め定められた初期値の設定が行なわれる。たとえば、カメラ装置２では、メモリ回路１５に記憶されている複数のガンマ補正曲線のうち、予め定められたガンマ補正曲線が選択される。これにより、選択されたガンマ補正曲線を用いて、撮像回路７より出力される映像信号に対してガンマ補正処理が行なわれる。ここでは、説明のため図３（Ａ）に示したガンマ補正曲線が初期値として設定されるガンマ補正曲線とする。
【００５１】
次のステップＳ０３では、撮像表示装置の動作を終了するか否かが判断される。撮像表示装置１の動作の終了か否かの判断は、テレビ装置３に設けられた電源スイッチがＯＦＦとなったか否かにより判断される。電源スイッチがＯＦＦとなった場合には、撮像表示装置１の動作を終了するものとしてステップＳ１１へ進み、そうでない場合にはステップＳ０４に進む。ステップＳ１１では、撮像表示装置１の動作を止めるため、テレビ装置３の電源２０からの電源供給が中止され、映像モニタ５は映像出力を中止する。また、カメラ装置２への電力も中断されるため、電源回路１９において、その電源の供給がなくなることに応じて、必要な終了処理を実行した後、カメラ装置２が動作を停止する。
【００５２】
ステップＳ０４では、逆光補正入力スイッチ１７が押下されたか否かが判断される。逆光補正入力スイッチ１７が押下された場合にはステップＳ０５へ進み、そうでない場合にはステップＳ０３に進む。すなわち、撮像表示装置１が動作を開始してからは、撮像回路７より撮像された映像は、撮像プロセス回路１４より図３（Ａ）に示したガンマ補正曲線を用いてガンマ補正処理が実行される。そのようにしてガンマ補正された映像信号は、入出力Ｉ／Ｆ１６からケーブル４を介してテレビ装置３に出力される。テレビ装置３では、受信した映像信号に基づいて、映像モニタ５に映像を出力する。このように、カメラ装置２で撮像された映像が、初期設定されたガンマ補正曲線に基づいてガンマ補正された映像が映像モニタ５に出力されることになる。
【００５３】
一方、このような状態で逆光補正入力スイッチ１７がユーザにより押下された場合には、ステップＳ０５において、逆光補正入力スイッチ１７が押下されてからの時間がカウントされる。カメラ装置制御回路１３は、タイマを有し、テレビ装置３から逆光補正入力スイッチ１７が押下されていることを示す信号を受信する。カメラ装置制御回路１３では、逆光補正入力スイッチ１７が押下されていることを示す信号を受信してから、逆光補正入力スイッチ１７が押下されていることを示す信号が継続している時間をタイマでカウントする。
【００５４】
次のステップＳ０６では、逆光補正入力スイッチ１７が押下されていることを示す信号が２秒間以上継続しているか否かが判断される。これはタイマによりカウントされた値に基づいて判断される。２秒以上継続していると判断した場合にはステップＳ０７に進み、そうでない場合にはステップＳ１０に進む。
【００５５】
ステップＳ１０では、逆光補正処理が一定時間実行される。逆光補正処理とは、撮像回路７より出力される映像信号に、予めメモリ回路１５に記憶されているゲインを乗算する。このようにして得られた映像信号が、テレビ装置３に入出力Ｉ／Ｆ１６からケーブル４を介して出力される。この逆光補正処理は、一定時間、たとえば３０秒間実行され、その一定時間経過後に、逆光補正処理は終了する。すなわち、撮像回路７から出力される映像信号に所定のゲインを乗算する処理が３０秒間実行された後、その映像信号に所定のゲインを乗算する処理が終了することになる。
【００５６】
一方、ステップＳ０７では、被写体サーチ処理が実行される。図５は、図４のステップＳ０７で実行される被写体サーチ処理の流れを示すフローチャートである。図５を参照して、カメラ装置制御回路１３が、メモリ回路１５に記憶されている複数のガンマ補正曲線のうち現在選択しているガンマ補正曲線とは異なる次のガンマ補正曲線を選択する指示を撮像プロセス回路１４に出力する（ステップＳ３１）。撮像プロセス回路１４では、受信した指示に基づいて選択されたガンマ補正曲線をメモリ回路１５より読出し、そのガンマ補正曲線を用いてガンマ補正処理を実行する（ステップＳ３２）。
【００５７】
カメラ装置制御回路１３では、ガンマ補正曲線を選択する指示を出力してからの時間を計時し、２秒間経過したか否かが判断される（ステップＳ３３）。２秒間経過したと判断した場合にはステップＳ３４へ進み、そうでない場合にはステップＳ３２へ進む。すなわち、２秒間の間選択されているガンマ補正曲線を用いてガンマ補正処理が継続して実行されることになる。
【００５８】
２秒間経過した場合にはステップＳ３４へ進み、そうでない場合にはステップＳ３２へ戻る。なお、この２秒の期間は変更可能であり、ユーザの要求に応じて変更するようにしてもよい。
【００５９】
ステップＳ３４では、カメラ装置制御回路１３において、テレビ装置３から逆光補正入力スイッチ１７が押下されていることを示す信号が継続して受信されているか否かが判断される。継続して逆光補正入力スイッチ１７がＯＮの状態であると判断した場合には、ステップＳ３１へ戻り、上述の処理を繰返し実行する。一方、逆光補正入力スイッチ１７がＯＮの状態でないと判断した場合には処理を終了する。
【００６０】
このように、メモリ回路１５に記憶されている複数のガンマ補正曲線のうちから、所定の時間、ここでは２秒経過するごとにガンマ補正曲線が順次選択されることになる。このため、撮像プロセス回路１４では、２秒ごとに異なるガンマ補正曲線を用いてガンマ補正処理が実行されることになる。この結果、映像モニタ５に出力される映像は、２秒ごとに異なるガンマ補正曲線を用いてガンマ補正処理が実行された映像となる。その結果、映像モニタを見るユーザは、入力信号レベルの範囲がある範囲にある映像信号の分解能を大きくした映像から、別の入力信号レベルの範囲に対応する階調レベルの範囲（分解能）を大きくした映像を見ることができる。このため、撮像回路７から出力される映像が、いかなる環境で撮影された場合であっても、被写体が表わされた領域の分解能を高くした映像を選択した時点で、逆光補正入力スイッチ１７の押下を中断することにより、所望の画像、すなわち、ユーザが所望する領域の入力信号レベルの範囲の分解能を高くした画像を見ることができる。
【００６１】
図４に戻って、ステップＳ０８において、被写体サーチ処理が実行されている間に、逆光補正入力スイッチ１７がＯＦＦになったか否かが判断される。これは、カメラ装置制御回路１３において、テレビ装置３から逆光補正入力スイッチ１７が押下されていることを示す信号が受信されなくなったことに基づき判断される。逆光補正入力スイッチ１７がＯＦＦとなった場合には、ステップＳ０９へ進み、そうでない場合にはステップＳ０７に進む。すなわち、逆光補正入力スイッチ１７が２秒間継続して押下された後、逆光補正入力スイッチ１７が継続してＯＮの状態となっている間は、ステップＳ０７が繰返し実行されるため、被写体サーチ処理がその間実行されることになる。
【００６２】
逆光補正入力スイッチ１７がＯＦＦとなった場合には、カメラ装置制御回路１３は、撮像プロセス回路１４に対して、現在選択しているガンマ補正曲線を３０秒間選択する旨の信号を出力する。これにより、撮像プロセス回路１４では、現在選択しているガンマ補正曲線を用いたガンマ補正処理が、３０秒間実行される。すなわち、カメラ装置制御回路１３は、３０秒間経過した後は、初期値に設定されているガンマ補正曲線を選択する指示を、撮像プロセス回路１４に出力する。撮像プロセス回路１４では、受信した指示に基づき、初期値に設定されているガンマ補正曲線、ここでは図３（Ａ）に示したガンマ補正曲線をメモリ回路１５から読出し、その読出したガンマ補正曲線を用いてガンマ補正処理を実行することになる。その後処理はステップＳ０３に進む。
【００６３】
＜逆光補正処理の変形例＞
次に、上述した逆光補正処理の変形例について説明する。図６は、変形された逆光補正処理の流れを示すフローチャートである。図６において、図４に示した示した処理と同じ処理については同じ符号を付してある。それらの処理は図４で説明したのと同様であるのでここでは説明を繰返さない。ステップＳ０９において、撮像プロセス回路１４で選択しているガンマ補正曲線を用いてガンマ補正処理が３０秒間実行されている間に、逆光補正入力スイッチ１７が再度ＯＮになったか否かが判断される（Ｓ２１）。これは、カメラ装置制御回路１３において、テレビ装置３から逆光補正入力スイッチ１７が押下されていることを示す信号が受信されたか否かにより判断される。
【００６４】
逆光補正入力スイッチ１７がＯＮになったことが検出された場合にはステップＳ２２へ進み、そうでない場合にはステップＳ０３に戻る。ステップＳ２２では、範囲設定処理が実行される。範囲設定処理とは、現在選択されているガンマ補正曲線の分解能が拡大された範囲の階調レベルをさらに拡大する処理である。たとえば、図３（Ｂ）に示すガンマ補正曲線が選択されている場合について説明すると、ステップＳ２１で逆光補正入力スイッチ１７がＯＮになる前には、入力信号レベルＩ１以上Ｉ２に対応する階調レベルはＬ１１以上Ｌ１２以下であった。この範囲設定処理においては、この階調レベルの範囲（Ｌ１１以上Ｌ１２以下）をさらに拡大する。
【００６５】
図７は、範囲設定処理の実行により変更されるガンマ補正曲線を説明するための図である。図７を参照して、点線で示すグラフは、図３（Ｂ）に示したガンマ補正曲線を示している。このガンマ補正曲線が選択されている場合に、範囲設定処理が実行されると、入力信号レベルの範囲に対応する階調レベルの範囲が拡大される。すなわち、入力信号レベルＩ１における階調レベルＬ１１の値が下げられて階調レベルＬ１１′となり、入力信号レベルＩ２に対応する階調レベルＬ１２が上昇して階調レベルＬ１２′となる。このようにして範囲設定処理が実行されると、実線で示すガンマ補正曲線が得られる。この階調レベルの範囲の拡大は、逆光補正入力スイッチ１７のＯＦＦが検出されるまで実行される。すなわち、入力信号レベルＩ１に対応する階調レベルＬ１１が、０になるか、または入力信号レベルＩ２に対応する階調レベルＬ１２が階調レベルの最大値となるまで実行されることになる。
【００６６】
図６に戻って、ステップＳ２３において、カメラ装置制御回路１３で、テレビ装置３から逆光補正入力スイッチ１７が押下されていることを示す信号が受信されなくなった場合に、逆光補正入力スイッチ１７がＯＦＦとなったものと判断し、ステップＳ２４へ進み、そうでない場合にはステップＳ２２の範囲設定処理が繰返し実行されることになる。しかしながら、上述したように、範囲設定処理は、階調レベルの最大または最小になるまで範囲が拡大された場合には逆光補正入力スイッチ１７がＯＦＦになることが検出される以前であっても処理を終了しステップＳ２４へ進む。
【００６７】
この範囲設定処理は、実際には撮像プロセス回路１４で実行され、ガンマ補正曲線の階調レベルの範囲を拡大したガンマ補正曲線が生成されるごとに、その生成されたガンマ補正曲線を用いて撮像回路７から出力される映像信号にガンマ補正処理を実行する。この処理が繰返し実行されるため、映像モニタ５には、階調レベルの範囲が拡大されるごとに、所望の領域の分解能を高くした映像が出力されることになる。ユーザが所望の分解能が得られた時点で逆光補正入力スイッチ１７の押下を中断すれば、その時点でガンマ補正処理に用いられているガンマ補正曲線を用いたガンマ補正処理が実行された映像が映像モニタ５に所定時間、ここでは３０秒間出力されることになる。
【００６８】
ステップＳ２４では、逆光補正入力スイッチ１７のＯＦＦが検出された時点で、カメラ装置制御回路１３から撮像プロセス回路１４に対して範囲設定処理を中止する旨を示す信号が出力される。その信号と、そのときにガンマ補正処理に用いているガンマ補正曲線を用いたガンマ補正処理を、３０秒間実行する旨の信号が出力される。撮像プロセス回路１４では、カメラ装置制御回路１３から受信した制御信号に基づいて、現在ガンマ補正処理に用いているガンマ補正曲線を用いたガンマ補正処理を３０秒間継続して実行することになる。この結果、ユーザは、逆光補正入力スイッチ１７の押下を中止した時点で、そのときに映像モニタ５に出力されている映像を３０秒間見ることができる。
【００６９】
このため、逆光補正入力スイッチ１７の押下を継続することにより、所望の分解能の映像を選択することができるとともに、所望の分解能の映像が出力された時点で、逆光補正入力スイッチ１７の押下を中断すれば、その時点で映像モニタ５に出力されている映像を３０秒間継続して見ることができる。撮像プロセス回路１４では、３０秒間経過した後は、初期値として設定されているガンマ補正曲線をメモリ回路１５から読出し、その読出したガンマ補正曲線を用いてガンマ補正処理を実行することとなる。
【００７０】
以上説明したように、本実施の形態における撮像表示装置１では、逆光補正入力スイッチ１７を押下してから２秒以内に押下を中止すれば、逆光補正処理が実行されるため、入力信号レベルの低い領域の入力信号レベルを上げた映像を映像モニタ５に出力させることができる。このため、逆光状態で被写体が撮影された場合に、被写体が表わされた領域の入力信号レベルを高くした映像を出力することができる。
【００７１】
また、逆光補正入力スイッチ１７が２秒以上継続して押下された場合には、被写体サーチ処理が実行される。このため、入力信号レベルの範囲を異ならせて、それぞれの入力信号レベルの範囲での分解能を高くした映像が出力されるため、入力信号レベルの複数の範囲において分解能を高くした画像を順次出力表示することができる。さらに、所望する入力信号レベルの範囲の分解能を高くした画像が表示された時点で、逆光補正入力スイッチ１７の押下を中断することにより、その画像が所定時間表示されるため、ユーザが所望する領域、たとえば被写体が表わされた領域の入力信号レベルの範囲の分解能を高くした画像を所定時間表示させることができる。その結果、いかなる環境で撮影された画像であっても被写体が表わされた領域の入力信号レベルの分解能を高くした映像を出力させることができる。
【００７２】
さらに、変形された逆光補正処理においては、階調レベルの範囲をさらに増加させることにより、ユーザが望む階調レベルの範囲の画像の分解能が拡大されるため、ユーザが望む範囲、たとえば被写体が表わされた領域のみを鮮明に表示させることができる。
【００７３】
＜撮像表示装置の変形例＞
上述した撮像表示装置１では、撮像プロセス回路１４をカメラ装置２に設けるものであったが、変形された撮像表示装置１Ａでは、この撮像プロセス回路１４およびメモリ回路１５をテレビ装置３に設けたものである。図８は、変形された撮像表示装置１Ａの機能を示す機能ブロック図である。図８を参照して、上述した撮像表示装置１と異なるところは、カメラ装置２にある撮像プロセス回路１４とメモリ回路１５とを、テレビ装置３Ａに備えるようにしたものである。このため、テレビ装置３Ａには、カメラ装置２と通信を行なうための入出力Ｉ／Ｆ１６Ａと、テレビ装置３の全体を制御するための制御回路１３Ａとを備えている。
【００７４】
この変形された撮像表示装置１Ａにおいては、入出力Ｉ／Ｆ１６Ａにおいて、カメラ装置２で被写体を撮像して得られた映像が入力される。また、入出力Ｉ／Ｆ１６Ａで入力された映像が映像モニタ５から出力される。そして、メモリ回路１５にそれぞれが互いに異なる入力信号レベルの範囲で大きな分解能を有する複数種類のガンマ補正曲線が予め記憶される。さらに、撮像プロセス回路１４において、複数種類のガンマ補正曲線のいずれか１つを用いて入出力Ｉ／Ｆ１６Ａで入力された映像がガンマ補正される。また、制御回路１３Ａは、撮像プロセス回路１４を制御し、複数種類のガンマ補正曲線のうちからいずれか１つを選択するように撮像プロセス回路１４を制御する。
【００７５】
制御回路１３Ａで実行される処理は、図４に示した逆光補正処理および図６に示した変形された逆光補正処理を実行することが可能である。この変形された撮像表示装置１Ａでは、カメラ装置２Ａは、撮像回路７が出力する映像信号が直接入出力Ｉ／Ｆ１６からテレビ装置３Ａに出力されることになる。このため、カメラ装置２Ａの構成を簡単にすることができ、安価なものとすることができる。
【００７６】
［第２の実施の形態］
図９は、第２の実施の形態における撮像表示装置の機能の概略を示す機能ブロック図である。第２の実施の形態における撮像表示装置１Ｂは、第１の実施の形態に示した撮像表示装置１と比較して、カメラ装置２Ｂの撮像回路７において、撮像素子回路９とＣＤＳ／ＡＧＣ／ＡＤ回路１０との間に入力レベル低減回路２１が追加されたものである。その他の機能は第１の実施の形態における撮像表示装置１と同様であるのでここでは説明を繰返さない。
【００７７】
入力レベル低減回路２１は、カメラ装置制御回路１３と接続されており、カメラ装置制御回路１３からの指示に基づき、撮像素子回路９から出力される映像信号の入力信号レベルを予め設定された低減率で低減する。そしてこのように入力信号レベルが低減された映像信号がＣＤＳ／ＡＧＣ／ＡＤ回路１０に出力される。
【００７８】
第２の実施の形態における撮像表示装置１Ｂは、フリッカー現象に対応するものである。上述したように、撮像表示装置１Ｂが室内等の蛍光灯の照明下における領域を撮像するためにカメラ装置２Ｂが設置された場合には、商用電源を用いた蛍光灯の影響により映像モニタ５にはフリッカー現象が発生した映像が出力される場合がある。このため、注視したい被写体の明るさが明滅した映像が出力される。このため、第２の実施の形態における撮像表示装置１Ｂでは、ユーザがこのフリッカー低減入力制御スイッチ１８を押下することにより、撮像素子回路９の電子シャッタ速度が１００分の１に固定される。これによりフリッカー現象はなくなるものの、シャッタ速度が１００分の１に固定されるため、蛍光灯の光が照射される領域たとえば被写体が周囲に比べて明るくなってしまう。そのような状態で撮像して得られる映像では、被写体の領域が白飛びとなった状態となってしまう。これは、電子シャッタによる入射光光量の絞り動作ができないために、被写体の領域が明るくなりすぎるためである。
【００７９】
このため、カメラ装置制御回路１３では、フリッカー低減入力制御スイッチ１８が所定時間継続して押下されると、入力レベル低減回路２１を能動化する。入力レベル低減回路２１は、撮像素子回路９から出力される映像の入力信号レベルを予め設定された低減率で低減する。これにより、周囲に比して明るい領域、たとえば被写体の領域の入力信号レベルが低減されるため、映像モニタ５には、被写体の領域が鮮明に出力されることになる。なお、ここでは、予め定められた低減率で入力信号レベルを低減するようにしたが、入力信号レベルに応じて低減率を定めるようにしてもよい。
【００８０】
図１０は、第２の実施の形態における撮像表示装置で実行される処理の流れを示すフローチャートである。図１０を参照して、ステップＳ０１〜ステップＳ０３およびステップＳ１１は、図４に示した同一符号で実行される処理と同様であるので、ここでは説明を繰返さない。ステップＳ４１では、フリッカ低減入力制御スイッチがＯＮとなったか否かが判断される。ＯＮとなった場合にはステップＳ４２へ進み、そうでない場合にはステップＳ０３に戻る。この判断は、カメラ装置制御回路１３において行なわれ、テレビ装置３から逆光補正入力スイッチ１７が押下されたことを示す信号が受信されたか否かにより判断される。
【００８１】
ステップＳ４２では、フリッカー低減処理が実行される。フリッカー低減処理は、カメラ装置制御回路１３が撮像素子駆動回路１１を制御することにより、撮像素子回路９の電子シャッタ速度を１００分の１に固定する処理である。なお、フリッカー低減処理において、撮像素子回路９の電子シャッタ速度を１００分の１に固定するようにしたが、この電子シャッタ速度は、これに限られず、フリッカー現象を低減することができるのであれば、他の電子シャッタ速度を用いることもできる。
【００８２】
商用電源を用いた照明の影響により、電子シャッタ速度を１００分の１に固定した場合に、所望の映像が得られる場合もあるが、照明の照度が強い場合には、被写体に照射される光量が高いため、撮像素子回路９から出力される映像で被写体の領域が白飛びしてしまう場合もある。このため、ステップＳ４３において、再度フリッカー低減入力制御スイッチがＯＮされたか否かが判断される。ＯＮされた場合にはステップＳ４４へ進み、そうでない場合には待機状態となる。なお、フリッカー低減処理を所定期間、たとえば３０秒間継続した後、処理を終了して、ステップＳ０３へ進むようにしてもよい。
【００８３】
ステップＳ４４では、フリッカ低減入力制御スイッチが押下されてからの経過時間のカウントを開始する。これは、カメラ装置制御回路１３が有するタイマによりカウントされ、フリッカー低減入力制御スイッチ１８が押下されたことを示す信号が、テレビ装置３から受信されている間カウントされる。
【００８４】
次のステップＳ４５では、タイマによりカウントされたフリッカー低減入力制御スイッチ１８が押下されている時間が、５秒以上経過したか否かが判断される。５秒以上経過した場合にはステップＳ４６へ進み、５秒以上経過する以前にフリッカー低減入力制御スイッチがＯＦＦとなったことが検出された場合には、ステップＳ０３へ戻る。
【００８５】
ステップＳ４６では、入力レベル低減処理が実行される。入力レベル低減処理は、カメラ装置制御回路１３が、入力レベル低減回路２１を制御し、撮像素子回路９が出力する映像の入力信号レベルに予め設定された低減率を乗算することにより、映像の入力信号レベルを低減する。そして入力信号レベルが低減された映像信号はＣＤＳ／ＡＧＣ／ＡＤ回路１０に出力される。さらに、入出力Ｉ／Ｆ１６からケーブル４を介してテレビ装置３に出力される。テレビ装置３では、受信した映像信号を映像モニタ５で出力する。このため、映像モニタ５には、フリッカー現象が現われることのない映像であって、かつ、被写体が白飛びすることのない映像が出力されることになる。
【００８６】
ステップＳ４７では、フリッカー低減入力制御スイッチがＯＦＦとなったか否かが判断される。ＯＦＦとなった場合にはステップＳ４８へ進み、そうでない場合にはステップＳ４６が継続して実行される。このため、ユーザがフリッカー低減入力制御スイッチ１８を押下している間、映像モニタ５には、入力レベルが低減された映像が出力されることになる。
【００８７】
ステップＳ４８では、入力レベル低減処理が６０秒間継続して実行される。このため、ユーザがフリッカー低減入力制御スイッチ１８を押下するのをやめてから６０秒の間、映像モニタ５には、入力レベル低減処理が実行された映像、すなわち被写体の白飛びを防止した映像が６０秒間継続して表示されることになる。
【００８８】
その後、処理はステップＳ４３へ戻る。このため、ユーザがフリッカー低減入力制御スイッチ１８を繰返し押下することにより、フリッカー低減入力処理が施された映像が映像モニタ５に表示させることができる。
【００８９】
なお、ステップＳ４５でフリッカー低減入力制御スイッチが５秒以上継続して押下されない場合には、ステップＳ０３に進むが、この場合には、ステップＳ４２で実行が開始されたフリッカー低減処理は、中止される。しかしながら、ステップＳ４１でさらにフリッカー低減入力制御スイッチがＯＮとなった場合には、再度ステップＳ４２が実行されるため、フリッカー低減処理が再度繰返し実行することができる。
【００９０】
このように、第２の実施の形態における撮像表示装置１Ｂでは、フリッカー低減処理と、入力レベル低減処理とをフリッカー低減入力制御スイッチ１つでそれぞれを実行させることができる。このため、複数のスイッチを用いることなく被写体を良好な状態で認識することが可能な映像を出力することができる。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】第１の実施の形態における撮像表示装置の全体構成を示す概略図である。
【図２】第１の実施の形態における撮像表示装置の機能の概略を示す機能ブロック図である。
【図３】複数種類のガンマ補正曲線の一例を示す図である。
【図４】第１の実施の形態における撮像表示装置で実行される逆光補正処理の流れを示すフローチャートである。
【図５】被写体サーチ処理の流れを示すフローチャートである。
【図６】変形された逆光補正処理の流れを示すフローチャートである。
【図７】範囲設定処理の実行により変更されるガンマ補正曲線を説明するための図である。
【図８】第１の実施の形態の変形例における撮像表示装置の機能の概略を示す機能ブロック図である。
【図９】第２の実施の形態における撮像表示装置の機能の概略を示す機能ブロック図である。
【図１０】第２の実施の形態における撮像表示装置で実行される処理の流れを示すフローチャートである。
【符号の説明】
１，１Ａ，１Ｂ  撮像表示装置、２，２Ａ，２Ｂ  カメラ装置、３，３Ａ  テレビ装置、４  ケーブル、５  映像モニタ、６Ａ  本体、６Ｂ  台座、７  撮像回路、８  レンズ、９  撮像素子回路、１０  ＣＤＳ／ＡＧＣ／ＡＤ回路、１１  撮像素子駆動回路、１２  タイミング／同期回路、１３  カメラ装置制御回路、１３Ａ  制御回路、１４  撮像プロセス回路、１５  メモリ回路、１６，１６Ａ入出力Ｉ／Ｆ、１７  逆光補正入力スイッチ、１８  フリッカ．．低減入力制御スイッチ、１９  電源回路、２０  電源、２１  入力レベル低減回路。
【図１】
2005005864.tif 000003
【図２】
2005005864.tif 000004
【図３】
2005005864.tif 000005
【図４】
2005005864.tif 000006
【図５】
2005005864.tif 000007
【図６】
2005005864.tif 000008
【図７】
2005005864.tif 000009
【図８】
2005005864.tif 000010
【図９】
2005005864.tif 000011
【図１０】
2005005864.tif 000012